(57)【要約】      （修正有）【課題】携帯品に容易かつ堅固に係止可能であり、また、想定される範囲内での負荷に対応できる強度と耐久性があり、さらに装飾性と美的効果を有するストラップ取付部材およびこれを備えた携帯品用ストラップを提供すること。【解決手段】係止可能な孔を有する携帯品の該孔に取り付けるためのストラップ取付部材において、前記孔に挿通可能な接続紐と、前記接続紐の一端又は両端と嵌通可能なワンタッチ接続部とを備えることを特徴とするストラップ取付部材１００、並びに、該ストラップ取付部材１００を備えることを特徴とする携帯品用ストラップ１０、及び、内側に物を収納可能で、形とデザインを自由に施すことができる多様な機能を備えたデザインホルダー部を有することを特徴とする前記携帯品用ストラップ。【選択図】図２
2012105783.tif 000002
【特許請求の範囲】
【請求項１】
係止可能な孔を有する携帯品の該孔に取り付けるためのストラップ取付部材において、
前記孔に挿通可能な接続紐と、前記接続紐の一端又は両端と嵌通可能なワンタッチ接続部とを備えることを特徴とするストラップ取付部材。
【請求項２】
前記接続紐は、両端に前記ワンタッチ接続部に嵌通可能なサイズの一対のループが形成されているか、又は一端に前記ワンタッチ接続部に嵌通可能なサイズのループが形成され、他端が該ワンタッチ接続部と一体的に固定されていることを特徴とする請求項１記載のストラップ取付部材。
【請求項３】
前記接続紐は、輪っか状紐の一部同士が接着されたものか、又は輪っか状紐の一部にカバーが付けられたものであることを特徴とする請求項２記載のストラップ取付部材。
【請求項４】
前記接続紐は、金属ワイヤー、樹脂ワイヤー、金属繊維、又は樹脂繊維から選択される一種以上の素材により形成されていることを特徴とする請求項１〜３の何れかに記載のストラップ取付部材。
【請求項５】
係止可能な孔を有する携帯品の該孔に取り付けるためのストラップ取付部材において、
前記孔に挿通可能な輪っか状の接続紐からなり、該接続紐は、金属ワイヤー、樹脂ワイヤー、金属繊維、又は樹脂繊維から選択される一種以上の素材により形成されていることを特徴とするストラップ取付部材。
【請求項６】
係止可能な孔を有する携帯品の該孔に取り付けるためのストラップ取付部材において、
前記孔に挿通可能なボールチェーンと、前記ボールチェーンの両端と嵌合可能なボールチェーン接続部とを備えることを特徴とするストラップ取付部材。
【請求項７】
前記ボールチェーンは、複数の小径ボールからなるチェーン、内部にワイヤーを有する複数のボールからなるチェーン、又は両端部に少なくとも一つのボールを有する金属若しくは樹脂のワイヤーからなるチェーンであり、前記ボールチェーン接続部は、前記ボールチェーンの少なくとも一端のボールと着脱可能になされていることを特徴とする請求項６記載のストラップ取付部材。
【請求項８】
請求項１〜７の何れかに記載のストラップ取付部材を備えることを特徴とする携帯品用ストラップ。
【請求項９】
内側に物を収納可能で、形とデザインを自由に施すことができる多様な機能を備えたデザインホルダー部を有することを特徴とする請求項８記載の携帯品用ストラップ。
【発明の詳細な説明】
【技術分野】
【０００１】
本発明は、携帯電話や財布等の携帯品に係止させるためのストラップ取付部材およびこれを備えたストラップに関し、詳細には、携帯品に容易かつ堅固に係止可能であり、さらに美的効果、装飾効果を有するストラップ取付部材およびこれを備えたストラップに関する。
【背景技術】
【０００２】
従来の携帯品用のストラップは、例えば携帯電話等の携帯機器の場合、ストラップを携帯機器に取り付けるための接続紐の先端を携帯機器の係止孔（ストラップホール）に挿通した上で、接続紐の先端を結んで結びこぶを形成することにより、携帯機器にストラップを係止するものであった。
【０００３】
しかしながら、一般的な携帯機器の係止孔は内部が狭く折り曲がった構造を有しているため、接続紐を挿通させるのに時間を要し、面倒であった。また、ストラップの接続紐の素材がポリエステル、ビニールなどから構成されているため、ストラップに接続されているアクセサリの数の増加に伴う負荷や、引張力などの外力が作用した場合、接続紐が携帯機器から分離してしまったり、接続紐自体が切れてしまうという問題点もあった。さらに、ストラップの接続紐は単なる紐であるため、アクセサリとの装飾性の差が激しく、ストラップ全体としてアンバランスなデザインとなっていた。
【０００４】
ストラップ取付部材の先行技術に関しては次のようなものが開示されている。
特許第３５８１８４３号公報（特許文献１）では、携帯機器の接続孔に挿通させるための接続紐を有するストラップを、該携帯機器に容易かつ堅固に係止させることを目的として、携帯機器のストラップ接続孔に挿通された前記接続紐が挿通される接続紐挿通孔を有し、前記ストラップ接続孔を通り抜け不能な本体と、前記接続紐挿通孔に挿通された前記接続紐を挿通可能な接続紐挿通部を有し、前記接続紐挿通部に挿通された前記接続紐を係止可能であると共に前記接続紐挿通孔に嵌合可能な嵌合体と、からなるストラップ係止具が開示されている。しかしながら、このストラップ係止具では、係止具内の挿通孔に接続紐の一部を挿通して係止するため、携帯機器に引張力などの外力が作用した場合、係止具外に出ている接続紐の一部が切れてしまう可能性があった。また、この係止具の大きさや使用位置によっては、携帯機器上に突出してしまうことがあるため、ズボンなどのポケットに収納する際に不便であった。
【０００５】
特許第３６７１２７６号公報（特許文献２）では、ストラップの接続紐に対し、特定の基部とフック部で引っ掛けて少なくとも長さの一部を被覆することにより装飾性の向上を目的とするストラップの接続紐用アクセサリが開示されている。しかしながら、このアクセサリを用いても、接続紐を含むストラップ全体のデザイン性の統一感がある程度不完全なものであった。また、接続紐の強度の面については配慮されていない。
【先行技術文献】
【特許文献】
【０００６】
【特許文献１】特許第３５８１８４３号公報
【特許文献２】特許第３６７１２７６号公報
【発明の概要】
【発明が解決しようとする課題】
【０００７】
本発明は、上記のような問題点を解決するためになされたもので、携帯品に容易かつ堅固に係止可能であり、また、想定される範囲内での負荷に対応できる強度と耐久性があり、さらに装飾性と美的効果を有するストラップ取付部材およびこれを備えたストラップを提供することを目的とする。
【課題を解決するための手段】
【０００８】
本発明は、以下の発明を提供することにより、前記目的を達成したものである。
１．係止可能な孔を有する携帯品の該孔に取り付けるためのストラップ取付部材において、
前記孔に挿通可能な接続紐と、前記接続紐の一端又は両端と嵌通可能なワンタッチ接続部とを備えることを特徴とするストラップ取付部材。
【０００９】
２．前記接続紐は、両端に前記ワンタッチ接続部に嵌通可能なサイズの一対のループが形成されているか、又は一端に前記ワンタッチ接続部に嵌通可能なサイズのループが形成され、他端が該ワンタッチ接続部と一体的に固定されていることを特徴とする前記１記載のストラップ取付部材。
【００１０】
３．前記接続紐は、輪っか状紐の一部同士が接着されたものか、又は輪っか状紐の一部にカバーが付けられたものであることを特徴とする前記２記載のストラップ取付部材。
【００１１】
４．前記接続紐は、金属ワイヤー、樹脂ワイヤー、金属繊維、又は樹脂繊維から選択される一種以上の素材により形成されていることを特徴とする前記１〜３の何れかに記載のストラップ取付部材。
【００１２】
５．係止可能な孔を有する携帯品の該孔に取り付けるためのストラップ取付部材において、
前記孔に挿通可能な輪っか状の接続紐からなり、該接続紐は、金属ワイヤー、樹脂ワイヤー、金属繊維、又は樹脂繊維から選択される一種以上の素材により形成されていることを特徴とするストラップ取付部材。
【００１３】
６．係止可能な孔を有する携帯品の該孔に取り付けるためのストラップ取付部材において、
前記孔に挿通可能なボールチェーンと、前記ボールチェーンの一端又は両端と嵌合可能なボールチェーン接続部とを備えることを特徴とするストラップ取付部材。
【００１４】
７．前記ボールチェーンは、複数の小径ボールからなるチェーン、内部にワイヤーを有する複数のボールからなるチェーン、又は両端部に少なくとも一つのボールを有する金属若しくは樹脂のワイヤーからなるチェーンであり、前記ボールチェーン接続部は、前記ボールチェーンの少なくとも一端のボールと着脱可能になされていることを特徴とする前記６記載のストラップ取付部材。
【００１５】
８．前記１〜７の何れかに記載のストラップ取付部材を備えることを特徴とする携帯品用ストラップ。
【００１６】
９．内側に物を収納可能で、形とデザインを自由に施すことができる多様な機能を備えたデザインホルダー部を有することを特徴とする前記８記載の携帯品用ストラップ。
【発明の効果】
【００１７】
本発明のストラップ取付部材およびこれを備えたストラップによれば、携帯品に容易かつ堅固に係止可能であり、また、アクセサリの数の増加に伴う負荷や引張力などの外力にも対応できる強度と耐久性があり、さらに、従来の接続紐に用いられていたポリエステルなどの素材と比較しても、アクセサリと接続紐との外観のアンバランスさを軽減することができ、結果的にストラップ全体としてのデザイン性に統一感をもたせることが可能である。
【発明を実施するための形態】
【００１８】
以下、本発明について、その好ましい実施形態に基づき図面を参照して説明する。
【００１９】
〔第１の実施形態〕
図１（ａ）は、本発明の第１の実施形態に係るストラップ取付部材の使用例（携帯品への取付前）の斜視図を示し、図１（ｂ）は、図１（ａ）におけるストラップ取付部材を示す拡大斜視図であり、図１（ｃ）は、図１（ａ）におけるストラップ取付部材に用いられる接続紐を示す拡大斜視図である。また、図２は、本発明の第１の実施形態に係るストラップ取付部材の使用例（携帯品への取付後）の斜視図を示す。
【００２０】
第１の実施形態に係るストラップ取付部材は、図１（ａ）に示すように、携帯品として例えば携帯電話端末５０の係止孔５１等に取り付けられるもので、ストラップホルダー部１４と連結部１５を介して連結されてストラップ１０として使用されるストラップ取付部材１００である。
【００２１】
本ストラップ取付部材１００は、図１（ｂ）に示すように、携帯電話端末５０の係止孔５１に挿通可能な接続紐１１と、この接続紐１１の両端と嵌通可能なワンタッチ接続部１２とを備えるものである。
【００２２】
本ストラップ取付部材１００は、このように、接続紐１１の両端をワンタッチ接続部１２に嵌通する構成により、携帯電話端末５０に容易かつ堅固に係止することができ、強度と耐久性に優れたものである。また、係止具に固定されていた従来型の取り外し不可能な接続紐と比較して、接続紐の老朽化や故障などの場合にも新たな接続紐に交換することができ、接続紐の状態に関係なく、長期的にお気に入りのアクセサリをストラップに装着することが可能になる。
【００２３】
図１（ｃ）に示すように、接続紐１１の両端部には、ワンタッチ接続部１２に嵌通可能なサイズの一対のループ部１３，１３が形成されている。このようなループ部１３を両端に備える接続紐１１が用いられることで、接続紐１１の老朽化や故障などにともなう接続紐１１の交換が容易に行える。また、図１（ｃ）に示すように、接続紐１１は、使用される金属繊維などの素材を束ねて一本の紐にし、両端部に適切な大きさの輪っかを作ってループ部１３を形成している。このため、ループ部１３とワンタッチ接続部１２との接続強度が高く、ストラップホルダー部１４に付けられるアクセサリ増加に伴う負荷や、引張力などの外力が加わった場合でも、接続紐１１自体の切断や、接続紐１１とワンタッチ接続部１２が分離することを防ぐことができる。
【００２４】
なお、本発明において用いられる接続紐としては、前述した図１（ｃ）に示す接続紐１１のものに制限されるものではない。例えば、１つのループ（輪っか状紐）の一部同士を接着して中央部が接着された一本の紐とし、その両端にループ部を形成する接続紐（図３（ａ））や、さらに、１つのループ（輪っか状紐）の一部をカバーで固定して中央部が被覆された一本の紐とし、その両端にループ部を形成する接続紐（図３（ｂ））などを用いてもよい。これらの接続紐を用いた場合も、第１実施形態における接続紐１１を用いた場合と同様の効果が得られる。特に、図３（ｂ）に示すカバーを設けた接続紐を用いると、ストラップ取付部材の強度とともに、カバー上の色彩の選定によりカラーバリエーションが豊富・容易となり、ストラップ全体の装飾感も向上させることができる。
【００２５】
さらに、本発明において用いられる接続紐の素材についても、前述した図１（ｃ）に示す接続紐１１のものに制限されるものではない。例えば、金属ワイヤーや金属繊維、また、樹脂を用いた樹脂ワイヤーや樹脂繊維などの特殊繊維などを用いることもできる。これらの素材は、従来の接続紐に用いられていたポリエステルなどの素材と比較して、外観が優れており、ストラップホルダー部１４につけられたアクセサリの装飾性（外観）とのアンバランスさを軽減することができ、結果的にストラップ全体としてデザインに統一感をもたせることが可能である。さらに、従来の素材と比較して、頑健性が高く、アクセサリの重さや引張力などの想定される範囲内での負荷に十分対応できる強度性と耐久性がある。
【００２６】
ワンタッチ接続部１２は、図１（ｂ）に示すように、開閉ボタンとして機能する突起部１６と、携帯電話端末５０等の携帯品に取り付ける際にその係止孔５１を通した接続紐１１を繋ぎ止める開閉部１７とを備え、該突起部１６を押すことにより、通常閉じている開閉部１７が開いて接続紐１１のループ部１３を止めることが可能になされている。突起部１６及び開閉部１７を備えるワンタッチ接続部１２の素材としては、ステンレスなどの金属が使用される。
なお、本実施形態では、両端にループが形成された接続紐を用いているが、これに変えて、一端にワンタッチ接続部に嵌通可能なサイズのループが形成され、他端が該ワンタッチ接続部と一体的に固定されている接続紐を用いてもよく、これにより特に強度性、装飾性の効果を向上できる。
【００２７】
本ストラップ取付部材１００は、そのワンタッチ接続部１２が、接続紐１１と対抗する位置において、ストラップホルダー部１４と連結部１５を介して連結固定されてストラップ１０として使用される。
【００２８】
連結部１５としては、特に制限されず、従来ストラップに用いられるものを適宜採用できるが、接続紐１１，ワンタッチ接続部１２と同様の素材からなるものを用いると本発明の効果をより向上できる。
【００２９】
ストラップホルダー部１４は、図１（ａ）に示すように、内側に小物などの物を収納可能なデザインホルダー部１４ａと該デザインホルダー部１４ａに連結された金属製リング（ワッカ）１４ｂからなるものである。
【００３０】
図１（ａ）に示すストラップ１０を用いることにより、デザインホルダー部１４ａにおいて、その内部に種々の首に提げられる紐やネックレスなどを隠すことができ（ロケットホルダー様）、必要な場合にネックホルダーとしても使用することができる。また、デザインホルダー部１４ａは、色々な形とデザインを自由に施すことができるため、本発明に係るストラップ取付部材１００と相俟って、ストラップ全体の装飾性を向上させることができる。図１（ａ）では、ハート形のボックス形状であるが、これに限らず、スペード形、ダイヤ形、クローバ形、星形、マスコット形など、使用者の好みに応じて適宜変形することが可能である。その素材としては特に制限されないが、接続紐１１，ワンタッチ接続部１２と同様の素材からなるものを用いると本発明の効果、すなわち強度、耐久性、装飾性等をより向上できる。本実施形態では、デザインホルダー部１４ａは、後述する金属製リング１４ｂと溶接等により一体固定されているものが用いられ、該金属製リング１４ｂと同素材の金属製のものが用いられる。これにより、ストラップの強度を一層向上できる。なお、一体固定しないで、デザインホルダー部１４ａの最下部に金属リング１４ｂが通る穴を設け、そこに金属リング１４ｂを通して動きができるようにすることもできる。
【００３１】
デザインホルダー部１４ａは、図１（ａ）の形態では、ハート形のボックス形状であり、中にはＵＳＢメモリ、ＳＤメモリカード、マルチメディアカード（ＭＭＣ）、メモリスティックなどの小型ディスクや、コインなどを収納することもでき、多様な機能を備えている。また、デザインホルダー部１４ａを備えたストラップを携帯品に取り付けたまま、デザインホルダー部１４ａから水平方向にＵＳＢメモリなどを挿入・引出ができる機能を付加することもでき、特に携帯電子機器などのストラップとして用いる場合に有用である。
【００３２】
また、金属製リング１４ｂには、一又は二以上の様々な他のストラップ、アクセサリ、マスコットなどを付けることができる。本発明のストラップ取付部材は、このような種々のストラップなどを複数取り付けても、重量に耐えられる強度と耐性を有するものである。
【００３３】
本発明のストラップ取付部材を用いる範囲では、第１の実施形態に係るストラップ取付部材１００に限らず、図４（ａ）に示すように、他の実施形態に係るストラップ取付部材においても、デザインホルダー部１４ａ及び金属リング１４ｂからなるストラップホルダー部を用いることが好ましい。
【００３４】
更に、図４（ｂ）に示すように、本実施形態のストラップ取付部材１００は、ストラップホルダー部として、一又は二以上の様々な他のストラップ、アクセサリ、マスコットなどの装飾品１８を直接付けることのできるデザインホルダー部１４ｃからなるものと連結させて用いることもできる。
【００３５】
なお、ストラップホルダー部としては、本実施形態では前記の通り、デザインホルダー部１４ａ及び金属リング１４ｂからなるストラップホルダー部１４を用いているが、本発明においてはこれに制限されず、例えば、落下防止などのために手首又は指に通して使用する提げ紐状のショートストラップ形式（ベルト形式）や、首にかけて使用する長紐状のネックストラップ形式、一つ又は複数のアクセサリ又はマスコットなどと接続可能な金属製のリング形式や、その他の種々の形式のものを採用することができる。
【００３６】
第１の実施形態に係るストラップ取付部材１００を携帯品に装着する際は、図１（ｂ）に示すように、ワンタッチ接続部１２の突起部１６と開閉部１７を適宜に操作しながら、接続紐１１の一端のループ部１３をワンタッチ接続部１２に嵌通した後に、接続紐１１の他端を携帯品としての携帯電話端末５０の係止孔５１に挿通させて、他端のループ部１３をワンタッチ接続部１２に嵌通させることにより、携帯電話端末５０に装着することができる。このようにして、図２に示すように、ストラップ取付部材１００を有するストラップ１０を、携帯電話端末５０に取り付けることができる。
【００３７】
本実施形態では、従来からストラップに使用されている接続紐と比較して、接続紐の老朽化や故障などにともなう交換が容易であり、また、接続紐１１の両端にワンタッチ接続部１２と嵌通可能なサイズの一対のループ部１３，１３を形成することにより、接続紐１１とワンタッチ接続部１２との接続強度を高め、ストラップホルダー部１４のアクセサリ数の増加に伴う負荷や、引張力などの外力が加わった場合でも、接続紐１１とワンタッチ取り付け部１２との分離を防ぐことができる。さらに、上述した特定の素材を接続紐１１に用いることにより、ストラップホルダー部１４のアクセサリの装飾性とのアンバランスさを軽減することができ、結果的にストラップ全体として、デザインに統一感をもたせることができる。
【００３８】
〔第２の実施形態〕
図５（ａ）は、本発明の第２の実施形態に係るストラップ取付部材の使用例（携帯品への取付前）の斜視図を示し、図５（ｂ）は、図５（ａ）におけるストラップ取付部材を示す拡大斜視図であり、図５（ｃ）は、本発明の第２の実施形態に係るストラップ取付部材の使用例（携帯品への取付後）の斜視図を示す。
【００３９】
第２の実施形態に係るストラップ取付部材は、図５（ａ）に示すように、携帯品として例えば携帯電話端末５０の係止孔５１等に取り付けられるもので、該係止孔５１に挿通可能な輪っか状で特定素材からなる接続紐２１からなり、ストラップホルダー部２３と連結部２２を介して該接続紐２１の一部が連結固定されてストラップ２０として使用されるストラップ取付部材２００である。
【００４０】
本ストラップ取付部材２００は、図５（ｂ）に示すように、その形状が輪っか状であり、特定の素材から形成された接続紐２１からなるものである。この接続紐２１は、金属ワイヤー、樹脂ワイヤー、金属繊維、又は樹脂繊維から選択される一種以上の素材により形成されている。
【００４１】
本ストラップ取付部材２００は、このように、特定の素材から形成された接続紐２１からなる構成により、従来のストラップ取付部材に比して、強度面や耐久面に優れており、想定される範囲内での負荷に十分対応可能である。このため、携帯電話端末５０に容易かつ堅固に係止することができる。また、接続紐２１による外観が優れており、ストラップホルダー部２３につけられたアクセサリ等の装飾性とのアンバランスさを軽減することができ、結果的にストラップ全体としてデザインに統一感をもたせることが可能である。
【００４２】
本ストラップ取付部材２００は、既述の通り、その接続紐２１の一部が、連結部２２を介してストラップホルダー部２３と連結固定されてストラップ２０として使用される。
連結部２２としては、特に制限されず、従来ストラップに用いられるものを適宜採用できるが、接続紐２１と同様の素材からなるものを用いると、本発明の効果である強度、耐久性及び装飾性をより向上できる。
【００４３】
ストラップホルダー部２３は、本実施形態では、落下防止などのために手首又は指に通して使用する提げ紐状のショートストラップ形式（ベルト形式）になっているが、特にこれに制限されることなく、首にかけて使用する長紐状のネックストラップ形式、一つ又は複数のアクセサリ又はマスコットなどと接続可能な金属製のリング形式や、その他の種々の形式のものを採用することができる。
【００４４】
第２の実施形態においても、ストラップホルダー部２３は、前述した第１の実施形態で述べたような、図１（ａ）及び図４（ａ）に示すデザインホルダー部１４ａ及び金属製リング１４ｂからなるものや、図４（ｂ）に示すデザインホルダー部１４ｃからなるものなどが好ましく挙げられる。
【００４５】
第２実施形態に係るストラップ取付部材２００を携帯品に装着する際は、ループ状の接続紐２１を伸ばすようにして、その連結部２２に対抗する側の先端を携帯品としての携帯電話端末５０の係止孔に挿通させた上で、一度ストラップホルダー部２３を接続紐２１で作る大きなループの中を通してその先端を結んで結びこぶを形成する。このようにして、図５（ｃ）に示すように、ストラップ取付部材２００を備えるストラップ２０を携帯電話端末５０に取り付けることができる。
【００４６】
本実施形態は、従来型のストラップ取付部材と比較して、上述した特定の素材から形成された接続紐２１からなる構成であるため、強度面では頑健性が高く、アクセサリの重さや引張力などの負荷に対応できる耐久性があり、携帯品とストラップ取付部材が分離したり、接続紐自体が切断されたりすることを防ぐことができる。さらに、外観面でも従来の接続紐からなる取付部材と比較して、ストラップホルダー部のアクセサリ等の装飾性とのアンバランスさを軽減することができ、結果的にストラップ全体として、デザインに統一感をもたせることができる。
【００４７】
〔第３の実施形態〕
図６（ａ）は、本発明の第３の実施形態に係るストラップ取付部材の使用例（携帯品への取付前）の斜視図を示し、図６（ｂ）は、図６（ａ）におけるストラップ取付部材を示す拡大斜視図であり、図６（ｃ）は、本発明の第３の実施形態に係るストラップ取付部材の使用例（携帯品への取付後）の斜視図を示す。
【００４８】
第３の実施形態に係るストラップ取付部材は、図６（ａ）に示すように、携帯品として例えば携帯電話端末５０の係止孔５１等に取り付けられるもので、ストラップホルダー部３３と連結部３４を介して連結されてストラップ３０として使用されるストラップ取付部材３００である。
【００４９】
本ストラップ取付部材３００は、図６（ｂ）に示すように、携帯電話端末５０の係止孔５１に挿通可能なボールチェーン３１と、このボールチェーン３１の両端と嵌合可能なボールチェーン接続部３２とを備えるものである。ストラップ３０として使用する際には、本ストラップ取付部材３００のボールチェーン接続部３２が連結部３４を介してストラップホルダー部３３と連結固定される。
【００５０】
本実施形態に係るストラップ取付部材３００は、上述した構成を有しているので、ポリエステルなどの素材で形成される従来の接続紐からなるストラップ取付部材よりも、ボールチェーンによる頑健性が高く、アクセサリやマスコットなどの重さや引張力などの負荷に対応できる耐久性がある。また、ボールチェーン３１の両端部をボールチェーン接続部３２に嵌合する構成により、ボールチェーン３１とボールチェーン接続部３２との接続強度を高め、さらに故障などに伴うボールチェーンの交換が容易に行える。また、ボールチェーン３１は外観面でも優れており、ストラップ全体としてのデザインに統一感を出すことができる。
【００５１】
ボールチェーン３１は、図６（ｂ）に示すように、複数の小径状のボールが連なって形成されたチェーンであって、その両端とボールチェーン接続部３２とが嵌合可能な構成となっており、老朽化や故障などの際に交換が容易に行えるものである。
【００５２】
また、ボールチェーン３１はステンレスなどの金属製の素材により形成されている。このため、従来のストラップ取付部材の接続紐と比較して、外観が優れており、ストラップホルダー部３３にアクセサリやマスコットなどを付けた際の装飾性とのアンバランスさを軽減することができ、結果的にストラップ全体としてデザインに統一感をもたせることが可能である。また、このような金属製のボールチェーン３１を用いることで、強度面や耐久面でも優れており、想定される範囲内での負荷に十分対応が可能である。
【００５３】
なお、本実施形態に用いられるボールチェーン３１としては、上記の複数の小径ボールからなるチェーンが用いられるが、特にこれに制限されることなく、図７（ａ）に示すように、内部にワイヤー３１ａを内蔵して強度を高めた複数のボールからなるチェーンや、や、図７（ｂ）に示すように、両端部に少なくとも一つのボールを有する金属または樹脂などのワイヤー３１ｂからなるチェーンや、その他の種々のチェーンを採用することができる。
【００５４】
本実施形態に用いられるボールチェーン接続部３２は、図６（ｂ）に示すように、両側面に、ボールチェーン３１の両末端のボールと着脱可能な２つの小孔を備えた構造を有している。本実施形態では、ボールチェーン接続部３２は、その両側面からボールチェーン３１のボールの装着が可能なタイプであるが、特にこれに制限されることなく、ボールチェーン３１の少なくとも一端のボールと着脱可能になされていればよく、ボールチェーンの一端が固定されていて他端のみ装着・取外し可能なタイプ（図７（ｃ）参照）など、様々なタイプを採用することができる。
【００５５】
本ストラップ取付部材３００は、既述の通り、ボールチェーン３１と接続したボールチェーン接続部３２がストラップホルダー部３３と連結部３４を介して連結されてストラップ３０として使用される。
【００５６】
連結部３４としては、特に制限されず、従来ストラップに用いられるものを適宜採用できるが、ボールチェーン３１と同様の素材からなるものを用いると、本発明の効果である強度、耐久性及び装飾性をより向上できる。
【００５７】
ストラップホルダー部３３は、本実施形態では、落下防止などのために手首又は指に通して使用する提げ紐状のショートストラップ形式（ベルト形式）になっているが、特にこれに制限されることなく、首にかけて使用する長紐状のネックストラップ形式、一つ又は複数のアクセサリ又はマスコットなどと接続可能な金属製のリング形式や、その他の種々の形式のものを採用することができる。
【００５８】
第３の実施形態においても、ストラップホルダー部３３は、前述した第１の実施形態で述べたような、図１（ａ）及び図４（ａ）に示すデザインホルダー部１４ａ及び金属製リング１４ｂからなるものや、図４（ｂ）に示すデザインホルダー部１４ｃからなるものなどが好ましく挙げられる。
【００５９】
第３実施形態に係るストラップ取付部材３００を携帯品に装着する際は、ボールチェーン３１の一端をボールチェーン接続部３２に嵌合した後に、ボールチェーン３１の他端を携帯品としての携帯電話端末５０の係止孔に挿通させて、ボールチェーン取り付け部３２に嵌合させる。このようにして、図６（ｃ）に示すように、ストラップ取付部材３００を備えるストラップ３０を、携帯電話端末５０に取り付けることができる。
【００６０】
本実施形態では、従来の接続紐からなるストラップ取付部材と比較して、ボールチェーン３１の老朽化や故障などにともなう交換が容易である。また、ステンレスなどの金属製の素材を用いて形成されたボールチェーン３１を備えた本実施形態のストラップ取付部材３００は、強度面・耐久面で優れており、ストラップホルダー部３３のアクセサリ数の増加に伴う負荷や、引張力などの外力が加わった場合でも、ボールチェーン３１とボールチェーン接続部３２との分離を防ぐことができる。さらに、外観面でも従来の接続紐からなる取付部材と比較して、ストラップホルダー部３３のアクセサリ等の装飾性とのアンバランスさを軽減することができ、結果的にストラップ全体として、デザインに統一感をもたせることができる。
【００６１】
なお、本発明は前記第１から第３の実施形態に限定されるものではなく、発明の要旨を変更しない範囲内であれば適宜に変形可能である。
【００６２】
例えば、前記第１の実施形態に係るストラップ取付部材の接続紐１１の部分を固定形状の金属製の接続材に変更して、ワンタッチ接続部１２と前記金属製の接続材が接続固定されるタイプ（図８（ａ）参照）や、接続紐１１の両端それぞれに半ネジを取り付けて、ワンタッチ接続部１２をネジ嵌合部に変更して、合わせる面の中央の一方に凸部、他方に凹部を設けた二つの半ネジを合わせて一ネジとして嵌合させるタイプ（図８（ｂ）参照）や、接続紐１１の一端をカバー内に留め、他端を小輪っかにしてカバーに設けられた小突起に取り付け、カバーで被覆するタイプ（図８（ｃ）参照）などが挙げられる。
【００６３】
本発明に係るストラップは、上述したとおりのストラップ取付部材を有する構成をしているので、携帯品に容易かつ堅固に係止可能であり、また、想定される範囲内での負荷に対応できる強度と耐久性があり、さらに装飾性と美的効果を有するストラップを提供することができる。特に、本発明の取付部材とともに前記のデザインホルダー部を用いたストラップは、所望のデザインを付加できるとともに多様な機能を備えるため、ストラップ全体として強度、耐久性、装飾性が一層向上したものとなる。
【００６４】
また、本発明に係るストラップ取付部材およびこれを備えたストラップの用途としては、携帯電話端末、携帯用の電子書籍、パソコンや、デジタル又はアナログのカメラ、ゲーム機などの携帯機器以外にも、バッグや財布、鍵などの携帯品にも適用が可能である。
【図面の簡単な説明】
【００６５】
【図１】図１（ａ）は、本発明の第１の実施形態に係るストラップ取付部材の使用例（携帯品への取付前）を示す斜視図であり、図１（ｂ）は、図１（ａ）におけるストラップ取付部材を示す拡大斜視図であり、図１（ｃ）は、図１（ａ）におけるストラップ取付部材に用いられる接続紐を示す拡大斜視図である。
【図２】図２は、本発明の第１の実施形態に係るストラップ取付部材の使用例（携帯品取付後）を示す斜視図である。
【図３】図３（ａ）は、本発明の第１の実施形態に係るストラップ取付部材に用いられる接続紐の他の例を示す概略図であり、図３（ｂ）は、本発明の第１の実施形態に係るストラップ取付部材に用いられる接続紐のさらに他の例を示す概略図である。
【図４】図４（ａ）は、本発明のストラップ取付部材に連結させるストラップホルダー部の好ましい例を示す概略正面図であり、図４（ｂ）は、本発明のストラップ取付部材を好ましいストラップホルダー部とともに用いたストラップの使用例を示す概略斜視図である。
【図５】図５（ａ）は、本発明の第２の実施形態に係るストラップ取付部材の使用例（携帯品への取付前）を示す斜視図であり、図５（ｂ）は、図５（ａ）におけるストラップ取付部材を示す拡大斜視図であり、図５（ｃ）は、本発明の第２の実施形態に係るストラップ取付部材の使用例（携帯品への取付後）を示す斜視図である。
【図６】図６（ａ）は、本発明の第３の実施形態に係るストラップ取付部材の使用例（携帯品への取付前）を示す斜視図であり、図６（ｂ）は、図６（ａ）におけるストラップ取付部材を示す拡大斜視図であり、図６（ｃ）は、本発明の第３の実施形態に係るストラップ取付部材の使用例（携帯品への取付後）の斜視図を示す。
【図７】図７（ａ）は、本発明の第３の実施形態に係るストラップ取付部材に用いられるボールチェーンの他の例を示す概略図であり、図７（ｂ）は、本発明の第３の実施形態に係るストラップ取付部材に用いられるボールチェーンのさらに他の例を示す概略図である。図７（ｃ）は、本発明の第３の実施形態に係るストラップ取付部材に用いられるボールチェーン接続部の他の例を示す概略図である。
【図８】図８（ａ）は、本発明の他の実施形態にかかるストラップ取付部材を示す概略斜視図であり、図８（ｂ）は、本発明の更に別の実施形態にかかるストラップ取付部材を示す概略斜視図であり、図８（ｃ）は、本発明の更にまた別の実施形態にかかるストラップ取付部材を示す概略斜視図である。
【符号の説明】
【００６６】
１００，２００，３００・・・ストラップ取付部材
１０，２０，３０・・・ストラップ
１１，２１・・・接続紐
１２・・・ワンタッチ接続部
１３・・・ループ部
１４，２３，３３・・・ストラップホルダー部
１４ａ，１４ｃ・・・デザインホルダー部
１４ｂ・・・金属リング
１５，２２，３４・・・連結部
１６・・・突起部
１７・・・開閉部
１８・・・装飾品
３１・・・ボールチェーン
３１ａ，３１ｂ・・・ワイヤー
３２・・・ボールチェーン接続部
５０・・・携帯電話端末（携帯品）
５１・・・係止部
【図１】
2012105783.tif 000003
【図２】
2012105783.tif 000004
【図３】
2012105783.tif 000005
【図４】
2012105783.tif 000006
【図５】
2012105783.tif 000007
【図６】
2012105783.tif 000008
【図７】
2012105783.tif 000009
【図８】
2012105783.tif 000010